(57)【要約】【課題】包装体のまま飲み込む誤飲事故を防止する包装体を提供する。【解決手段】複数のポケット部１１が形成された容器フィルム１３に蓋フィルム１４を取着してポケット部１１を密封した包装体１０について、一のポケット部１１と、これに隣り合う少なくとも一つの他のポケット部１１と間に突起部１５を設ける。【選択図】図１
2013100128.tif 000002
【特許請求の範囲】
【請求項１】
複数のポケット部が形成された容器フィルムに蓋フィルムを取着して前記ポケット部を密封した包装体であって、
一の前記ポケット部と、これに隣り合う少なくとも一つの他のポケット部との間に突起部が設けられていることを特徴とする包装体。
【請求項２】
前記突起部は前記容器フィルムを突出させてなるものであることを特徴とする請求項１記載の包装体。
【請求項３】
前記突起部が平面視円形に形成されていることを特徴とする請求項２記載の包装体。
【請求項４】
前記ポケット部が錠剤を収容するものであることを特徴とする請求項１乃至３記載の包装体。
【発明の詳細な説明】
【技術分野】
【０００１】  本発明は、医薬品や菓子等の製品を包装する場合に用いられる包装体に関する。
【背景技術】
【０００２】  一般に、カプセルや錠剤タイプの薬剤或は粒状の菓子等の包装体としては、プラスチックシートの第１のシートに薬剤等を収納するための複数のポケット部を整列的に形成し、各ポケット部に薬剤を収納した後、アルミシート等の第２のシートを取着してポケット部を密封する形態のものがある。そして、ポケット部の間にはミシン目やハーフカット等の切り離し線が形成されていて、所定数のポケット部を有するシート片毎に分離できるようになっている。ところで、このように小さなシート片に分離することができる包装体において、取り分け１錠分毎のシート片に分離できる包装体にあっては、誤ってシート片のまま服用してしまうことがある。特に薬剤の大きさが小さいとシート片の形状も小さくなるので、高齢者が服用の際にシート片のまま飲み込んで食道等を傷つけてしまう誤飲事故が発生している。そこで、特許文献１にある包装体では１回（１回で複数錠を服用する場合）のもしくは１日の服用錠数毎にまとめて分離できるように切り離し線を設けて、シート片が小さくならないようにした包装体が提案されている。
【先行技術文献】
【特許文献】
【０００３】
【特許文献１】実用新案第３０１８０２４号
【発明の概要】
【発明が解決しようとする課題】
【０００４】  しかしながら、特許文献１にある包装体であっても、切り離し線が入っていない箇所を鋏でカットして１錠分のシート片に分離し、そのシート片を服用してしまう可能性ある。【０００５】  本発明はこのような事情に鑑みてなされたものであり、その目的は、小さなシート片に分離しにくくすることでポケット部から製品を取り出して服用又は喫食することを促し、誤飲事故の発生を防止する包装体を提供することにある。
【課題を解決するための手段】
【０００６】  本発明の請求項１に係る包装体は、所期の目的を達成するために下記の問題解決手段を特徴とする。すなわち請求項１に記載の包装体は、複数のポケット部が形成された容器フィルムに蓋フィルムを取着して前記ポケット部を密封した包装体であって、一の前記ポケット部と、これに隣り合う少なくとも一つの他のポケット部と間に突起部が設けられていることを特徴とする。この請求項１の包装体によれば、ポケット部の間を鋏などで切断しようとした際に突起部があることで切りづらい印象を与えることができる。突起部は、一のポケット部と、これに隣り合う少なくとも一つの他のポケット部との間に設けられているため、ポケット部が１つだけの小さなシート片に分離させないようにすることができる。なお、突起部は一つのポケット部と他のポケット部とを結ぶ直線上に必ずしも位置している必要はなく、例えば、包装体の外縁寄りにずれた位置であってもかまわない。また形状についても限定するものではないが、切断を誘発するおそれのある形状は不適である。【０００７】  請求項２に記載したように、突起部は容器フィルムを突出させてなるものとすることができる。こうすれば、容器フィルムにポケット部を形成すると同時に突起部を形成することがでる。また、請求項３に記載したように、突起部を平面視円形に形成することで成形型の構造が複雑になることを避けることができる。また、請求項４に記載したように、ポケット部が錠剤を収容するものであれば、錠剤を服用する際のシート片の誤飲を防止することができる。
【発明の効果】
【０００８】  本発明に係る包装体は、突起部によって鋏などの刃物による切断を思い止まらせることができ、ポケット部から製品を取り出して服用又は喫食するよう仕向けることができるので、シート片の誤飲事故を未然に防ぐことができる。
【図面の簡単な説明】
【０００９】
【図１】本発明の第１実施形態による包装体であり、（Ａ）は包装体の平面図であり、（Ｂ）は（Ａ）図における包装体のＩ−Ｉ矢視断面図である。
【図２】本発明の第２実施形態による包装体の平面図
【図３】本発明の第３実施形態による包装体の平面図
【発明を実施するための形態】
【００１０】  （第１実施形態）
以下に、本発明に係る包装体の実施の形態について、錠剤用のＰＴＰ包装体を例にして第１〜３図を参照して説明する。第１図は本発明に係る包装体の実施例を示す平面図であり、（Ｂ）図は（Ａ）図中のＩ−Ｉ矢視断面図である。第１図に示すように、薬剤の包装体１０はＰＶＣやＣＣＰ等のプラスチックフィルムの一方の面に突出して形成された、複数のポケット部１１が２列に成形されている容器フィルム１３と、これに重ね合わされて熱溶着によるシールが施されポケット部１１を密封する、アルミ箔シート等からなる蓋フィルム１４からなる。なお、蓋フィルム１４は、プラスチックフィルムであっても良い。
【００１１】  各ポケット部１１には錠剤１２が収容されている。そして、ポケット部１１の各列において隣り合うポケット部１１の間には突起部１５が設けられており、さらに、二つの列間において横並びの状態に隣り合っているポケット部１１の間にも突起部１５が設けられている。突起部１５は容器フィルム１３のポケット部１１を形成する際に、同時に容器フィルム１３を円形に突出させて形成したものである。円形であれば、成形型が製造しやすくコストを抑えることができる。このように形成されている包装体１０には、複数のシート片に分離するためのミシン目や切り目が設けられておらず、服用の際には錠剤１２をポケット部１１から一つずつ取り出して服用する。万が一、使用者が包装体１０を１錠分毎のシート片に分離して服用しようとした場合でも、ポケット部１１の間に突起部１５があるため切りづらいと思わせ、鋏などによる切断を思い止まらせることができる。これにより、錠剤１２をポケット部１１から取り出して服用するように仕向け、シート片の誤飲事故を未然に防ぐことができる。なお、突出部１５は円形に限らず、三角形、四角形、五角形等の多角形であっても良く、星型、線状などの任意の形状であっても良いが、切断を誘発するおそれのある形状は不敵である。
【００１２】  本発明の包装体１１では、ポケット部１１の形状を円形としたがこれに限らず、三角形、四角形、五角形等の多角形であっても良く、星型などの任意の形状であっても良い。また、ポケット部１１を全て同じ形状としたが、これに限らず、複数の形状のポケット部１１であっても良い。また、ポケット部１１の形状、および大きさは適宜に選択し得る。更にまた、ポケット部１１の配置については、規則正しく配置する必要はなく、ランダムに配置してももちろん良い。  また、突起部１５はすべてのポケット部１１間に設ける必要はなく、１錠分のシート片に分離ができなければ良い。
【００１３】  （第２実施形態）
包装体の基本的な構成は、第１実施形態の包装体１０と同様であるため、重複する部分については説明を省略する。図２の第２実施形態に係る包装体２０は、複数のポケット部２１が２列に成形されており、２つの列間において横並びの状態で隣り合うポケット部２１の間に突起部２５を設けられている。この場合、包装体２０を幅方向に２錠分のシート片に切断することは可能であるが、このシート片のポケット部２１の間には突起部２５が設けられているため、１錠分ごとのシート片には切断し難くなっている。
【００１４】  （第３実施形態）
図３の第３実施形態に係る包装体３０は、複数のポケット部３１が２列に成形されており、各列において隣り合うポケット部３１の間に突起部３５が設けられている。この場合、包装体３０を長さ方向に切断し５錠分のシート片に分離することは可能であるが、ポケット部３１間に突起部３５が設けられているため、１錠分のシート片には分離し難くなっている。
【００１５】  なお、本発明に係る包装体を製造するにあたっては、例えば特開２０１１−２０６８４の［図３］に開示されている複数の充填ユニットを有する充填装置で製造することができる。
【００１６】  本発明に係る包装体に実施の形態は、錠剤用のＰＴＰ包装体であるが、被包装物は飴やガム等の菓子を含む食品であっても良い。
【符号の説明】
【００１７】１０、２０、３０  包装体
１１、２１、３１  ポケット部
１２、２２、３２  錠剤
１３  容器フィルム
１４  蓋フィルム
１５、２５、３５  突起部
【図１】
2013100128.tif 000003
【図２】
2013100128.tif 000004
【図３】
2013100128.tif 000005